(57)【要約】【課題】ユーザが所有する携帯機器の識別情報に応じて共用機器の動作状態を設定し、利便性を向上することができる機器設定システム、共用機器、機器設定方法および機器設定プログラムを提供する。【解決手段】機器設定システム１００は、共用機器としてのオーディオ機器１とサーバ装置３とを備える。サーバ装置３は、携帯機器２の識別情報に対応してオーディオ機器１の動作状態情報を記憶する。オーディオ機器１は、携帯機器２の識別情報を取得し、取得した識別情報に基づいて、サーバ装置３に記憶された動作状態情報を取得して動作状態を設定する。【選択図】図２
2019012964.tif 000002
【特許請求の範囲】
【請求項１】
携帯機器を所有するユーザからの指示を受け付けて動作状態が設定される共用機器と、前記共用機器の動作状態情報を記憶するサーバ装置と、を備え、前記共用機器の動作状態を設定する機器設定システムにおいて、
前記サーバ装置は、前記携帯機器の識別情報に対応して前記動作状態情報を記憶し、
前記共用機器は、前記携帯機器の前記識別情報を取得し、取得した前記識別情報に基づいて、前記サーバ装置に記憶された前記動作状態情報を取得して動作状態を設定することを特徴とする機器設定システム。
【請求項２】
前記共用機器は、前記携帯機器の前記識別情報と前記動作状態情報とを前記サーバ装置で記憶することを要求し、
前記サーバ装置は、前記共用機器の要求に基づいて、前記識別情報に対応して前記動作状態情報を記憶することを特徴とする請求項１に記載の機器設定システム。
【請求項３】
前記サーバ装置は、前記識別情報に対応して複数の前記動作状態情報を記憶し、
前記共用機器は、複数の前記動作状態情報のうち１の動作状態情報に基づいて動作状態を設定することを特徴とする請求項１または２に記載の機器設定システム。
【請求項４】
前記サーバ装置は、複数の前記識別情報の組合せに対応して前記動作状態情報を記憶し、
前記共用機器は、複数の前記携帯機器の前記識別情報を取得し、取得した複数の前記識別情報の組合せに基づいて、前記サーバ装置に記憶された前記動作状態情報を取得して動作状態を設定することを特徴とする請求項１に記載の機器設定システム。
【請求項５】
前記共用機器は、複数の前記識別情報の組合せと前記動作状態情報とを前記サーバ装置で記憶することを要求し、
前記サーバ装置は、前記共用機器の要求に基づいて、複数の前記識別情報の組合せに対応して前記動作状態情報を記憶することを特徴とする請求項４に記載の機器設定システム。
【請求項６】
前記共用機器は、複数の前記識別情報の組合せに対応する前記動作状態情報、または複数の前記識別情報のうちのいずれか一つの識別情報に対応する前記動作状態情報に基づく動作状態の設定を選択可能としてあることを特徴とする請求項４または５に記載の機器設定システム。
【請求項７】
携帯機器を所有するユーザからの指示を受け付けて動作状態が設定される共用機器において、
前記携帯機器の識別情報を取得する識別情報取得部と、
取得した前記識別情報に基づいて、外部装置に記憶された動作状態情報を取得する動作状態取得部と、
取得した前記動作状態情報に基づいて、動作状態を設定する動作状態設定部と、
を備えることを特徴とする共用機器。
【請求項８】
携帯機器を所有するユーザからの指示を受け付けて動作状態が設定される共用機器の機器設定方法において、
前記携帯機器の識別情報を取得する識別情報取得ステップと、
取得した前記識別情報に基づいて、外部装置に記憶された動作状態情報を取得する動作状態取得ステップと、
取得した前記動作状態情報に基づいて、動作状態を設定する動作状態設定ステップと、
を備えることを特徴とする機器設定方法。
【請求項９】
携帯機器を所有するユーザからの指示を受け付けて動作状態が設定される共用機器の機器設定プログラムにおいて、
前記携帯機器の識別情報を取得する識別情報取得ステップと、
取得した前記識別情報に基づいて、外部装置に記憶された動作状態情報を取得する動作状態取得ステップと、
取得した前記動作状態情報に基づいて、動作状態を設定する動作状態設定ステップと、
をコンピュータに実行させることを特徴とする機器設定プログラム。
【発明の詳細な説明】
【技術分野】
【０００１】
本発明は、共用機器における動作状態を設定する機器設定システム、共用機器、機器設定方法および機器設定プログラムに関する。
【背景技術】
【０００２】
例えば車両等の移動体に搭載されたカーオーディオ機器やカーナビゲーション機器等の複数のユーザによって共用される共用機器は、各ユーザによって動作状態が設定されて利用される。
【０００３】
特許文献１には、無線携帯端末と、共用機器としての有料放送受信端末と、視聴情報管理サーバとを備えた機器設定システムが開示されている。無線通信端末は有料放送受信端末へユーザ識別情報を発信する。有料放送受信端末は、取得したユーザ識別情報に基づき、視聴情報管理サーバからユーザに対応する視聴許可情報を取得し、視聴許可情報に基づいて所定の有料放送が受信できるような環境を設定する。
【先行技術文献】
【特許文献】
【０００４】
【特許文献１】特開２００２−２２９８７９号公報
【発明の概要】
【発明が解決しようとする課題】
【０００５】
特許文献１に記載の機器設定システムは、視聴情報管理サーバに記憶した視聴許可情報によって有料放送受信端末等の共用機器の環境を設定するが、共用機器に対してユーザが設定した動作状態を視聴情報管理サーバで記憶することはできない。
【０００６】
例えば共用機器としての車載のオーディオ機器では、ユーザの趣向によってラジオ放送受信、音楽データ再生または映像データ再生等の動作状態が設定される。共用機器では、ユーザが代わって別の動作状態の設定となった後、再び前に利用していたユーザが利用する際に、設定を元に戻す手間がかかり、利便性が良くないという問題点があった。
【０００７】
本発明は、斯かる事情に鑑みてなされたものであり、その目的とするところは、ユーザが所有する携帯機器の識別情報に応じて共用機器の動作状態を設定し、利便性を向上することができる機器設定システム、共用機器、機器設定方法および機器設定プログラムを提供することにある。
【課題を解決するための手段】
【０００８】
本発明のある態様の機器設定システムは、携帯機器を所有するユーザからの指示を受け付けて動作状態が設定される共用機器と、前記共用機器の動作状態情報を記憶するサーバ装置と、を備え、前記共用機器の動作状態を設定する機器設定システムにおいて、前記サーバ装置は、前記携帯機器の識別情報に対応して前記動作状態情報を記憶し、前記共用機器は、前記携帯機器の前記識別情報を取得し、取得した前記識別情報に基づいて、前記サーバ装置に記憶された前記動作状態情報を取得して動作状態を設定する。
【０００９】
本発明の別の態様は共用機器である。この共用機器は、携帯機器を所有するユーザからの指示を受け付けて動作状態が設定される共用機器において、前記携帯機器の識別情報を取得する識別情報取得部と、取得した前記識別情報に基づいて、外部装置に記憶された動作状態情報を取得する動作状態取得部と、取得した前記動作状態情報に基づいて、動作状態を設定する動作状態設定部と、を備える。
【００１０】
また本発明の別の態様は機器設定方法である。この機器設定方法は、携帯機器を所有するユーザからの指示を受け付けて動作状態が設定される共用機器の機器設定方法において、前記携帯機器の識別情報を取得する識別情報取得ステップと、取得した前記識別情報に基づいて、外部装置に記憶された動作状態情報を取得する動作状態取得ステップと、取得した前記動作状態情報に基づいて、動作状態を設定する動作状態設定ステップと、を備える。
【発明の効果】
【００１１】
本発明によれば、ユーザが所有する携帯機器の識別情報に応じて共用機器の動作状態を設定し、利便性を向上することができる。
【図面の簡単な説明】
【００１２】
【図１】実施形態１に係る機器設定システムにおける通信接続を説明するための模式図である。
【図２】実施形態１に係る機器設定システムの構成を示すブロック図である。
【図３】オーディオ機器における動作状態を説明するための図表である。
【図４】オーディオ機器の動作状態設定処理の手順を示すフローチャートである。
【図５】サーバ装置において記憶するオーディオ機器の動作状態情報の例を示す図表である。
【図６】オーディオ機器における設定入力画面の例を示す模式図である。
【図７】オーディオ機器の動作状態の記憶要求処理における手順を示すフローチャートである。
【図８】実施形態２に係る機器設定システムにおけるオーディオ機器の動作状態設定処理の手順を示すフローチャートである。
【図９】サーバ装置において記憶するオーディオ機器の動作状態情報の例を示す図表である。
【図１０】個人設定または組合せ設定を選択するための設定入力画面の例を示す模式図である。
【図１１】組合せ設定が選択された場合の設定入力画面の例を示す模式図である。
【発明を実施するための形態】
【００１３】
以下、本発明を好適な実施の形態をもとに図１から図１１を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１４】
（実施形態１）
図１は、実施形態１に係る機器設定システム１００における通信接続を説明するための模式図である。機器設定システム１００は、複数のユーザによって共用される共用機器における動作を設定する。オーディオ機器１は、本発明における共用機器の一例であり、車両等の移動体９０に搭載され、ラジオ放送を受信し、例えばＵＳＢ（Universal Serial Bus）メモリやＤＶＤ等の記録媒体から音楽データや映像データを読み出して再生する。共用装置は、オーディオ機器１の他、カーナビゲーション機器などの複数のユーザが共用する機器であればよい。
【００１５】
オーディオ機器１は、移動体９０に搭乗したユーザが使用する携帯電話機やパーソナルコンピュータ等の携帯機器２と無線によって通信し、携帯機器２の識別情報を取得する。また、オーディオ機器１は、通信ネットワーク９１を介してサーバ装置３と通信する。本発明に係るオーディオ機器１は、携帯機器２の識別情報に対応して、動作状態情報をサーバ装置３へ送信して記憶させ、携帯機器２の識別情報に対応する動作状態情報をサーバ装置３から受信して、動作状態の設定を復元する。
【００１６】
図２は、実施形態１に係る機器設定システム１００の構成を示すブロック図である。機器設定システム１００は、オーディオ機器１、携帯機器２、サーバ装置３を備える。オーディオ機器１は本発明における共用機器に相当する。
【００１７】
オーディオ機器１は、ラジオ放送受信部１１、データ再生部１２、表示部１３、操作部１４、通信部１５、制御部１６および記憶部１７等を備える。ラジオ放送受信部１１、データ再生部１２、表示部１３、操作部１４、通信部１５、制御部１６および記憶部１７等はデータバス１ａによって相互に電気信号の送受ができるように接続されている。
【００１８】
ラジオ放送受信部１１は、ＡＭラジオ放送信号やＦＭラジオ放送信号を受信し、復調して音声信号を再生する。ラジオ放送受信部１１は再生した音声信号をスピーカ１８へ出力する。ラジオ放送受信部１１において受信する放送局は、操作部１４をユーザが操作することによって入力され、制御部１６によって取得される。ラジオ放送受信部１１は、制御部１６から放送局（または放送周波数）を取得して受信同調する。
【００１９】
データ再生部１２は、ＵＳＢメモリやＤＶＤ等の記憶媒体１９に記憶された音楽データおよび映像データをデコードして音声信号および映像信号を再生する。データ再生部１２は、音楽データや映像データの各種フォーマットに対応してデコードする機能を有し、再生した音声信号をスピーカ１８へ、再生した映像信号を表示部１３へ出力する。
【００２０】
データ再生部１２は、記憶媒体１９から読み込まれるフォルダやトラック番号、曲名、映像名などを表示部１３によって表示させる。再生されるフォルダやトラック番号は、操作部１４をユーザが操作することによって入力され、制御部１６によって取得される。データ再生部１２は、制御部１６からフォルダおよびトラック番号を取得して音楽データおよび映像データを再生する。
【００２１】
表示部１３は、液晶ディスプレイ、有機ＥＬ（Electro Luminescence）ディスプレイ、ＬＥＤ（Light Emitting Diode）ディスプレイ等で構成されている。表示部１３は、制御部１６からの指示に基づいて操作に関する情報等を表示し、データ再生部１２から入力される映像信号等を表示する。
【００２２】
操作部１４は、操作キー、十字キー、タッチパネル等のスイッチから構成されており、ユーザによる操作入力を受け付ける。操作部１４で受け付けられた操作入力は、制御部１６によって取得され、制御部１６からラジオ放送受信部１１、データ再生部１２等へ操作入力に基づく動作状態の設定として出力される。尚、操作部１４は、操作入力の他、音声入力等の別手段による入力にも対応していてもよく、ユーザからの指示を受け付けるものであり、ユーザによる操作入力は、ユーザからの指示に相当する。
【００２３】
通信部１５は、無線通信部１５ａおよびネットワーク通信部１５ｂを備える。無線通信部１５ａは、例えば赤外線通信やＢｌｕｅｔｏｏｔｈ（登録商標）によって、携帯機器２との間で近距離の無線通信を行う。ネットワーク通信部１５ｂは、通信ネットワーク９１との間でＷｉＦｉ（登録商標）等の通信規格に準拠して無線通信し、通信ネットワーク９１を介してサーバ装置３との間で通信する。なお、通信部１５は、接続されたアンテナで無線信号波を送受信し、携帯機器２および通信ネットワーク９１との間で無線通信する。
【００２４】
制御部１６は、動作状態設定部１６ａ、識別情報取得部１６ｂ、動作状態取得部１６ｃおよび記憶要求部１６ｄを有する。制御部１６は、例えばＣＰＵなどによって構成され、コンピュータプログラムに従って動作することによって、上述の各部による処理を実行する。記憶部１７は、ＲＡＭ（Random Access Memory）、フラッシュメモリ、ハードディスク記憶装置等のデータ記憶装置によって構成されており、制御部１６で実行するコンピュータプログラム等を記憶する。
【００２５】
制御部１６において、動作状態設定部１６ａは、表示部１３にユーザによる操作入力を受け付けるためのボタン用の図形等を含む各種の操作画面を表示させる。例えば、表示部１３が液晶モニタであり、操作部１４がタッチパネルである場合、ユーザは、操作画面に現れた画像に従ってタッチパネルに触れて操作入力をする。
【００２６】
図３は、オーディオ機器１における動作状態を説明するための図表である。動作状態は、ラジオ放送受信、音楽データ再生および映像データ再生等に分類され、各分類において動作内容を有する。動作内容は、例えばラジオ放送受信では放送局（受信周波数）等、音楽データ再生および映像データ再生では、接続された記憶媒体１９内のフォルダ名、トラック番号等で構成される。動作状態設定部１６ａは、動作状態取得部１６ｃが取得したユーザの操作入力に基づいて、ラジオ放送受信部１１およびデータ再生部１２等の動作状態を設定する。
【００２７】
また、動作状態設定部１６ａは、動作状態取得部１６ｃがサーバ装置３から取得した動作状態情報に基づいて、ラジオ放送受信部１１およびデータ再生部１２等の動作状態を設定する。
【００２８】
識別情報取得部１６ｂは、無線通信部１５ａと携帯機器２との通信接続時に無線通信部１５ａを介して、携帯機器２の識別情報を取得し、取得した携帯機器２の識別情報を含む動作状態取得要求をサーバ装置３へ送信するように通信部１５へ指示する。通信部１５のネットワーク通信部１５ｂは、識別情報取得部１６ｂからの指示に基づいて、サーバ装置３へ動作状態取得要求を送信する。
【００２９】
動作状態取得部１６ｃは、操作部１４で受け付けたユーザの操作入力を取得し、動作状態設定部１６ａへ渡す。また、動作状態取得部１６ｃは、通信部１５がネットワーク通信部１５ｂにより受信したサーバ装置３からの動作状態情報を取得し、ユーザの操作入力に基づいて動作状態設定部１６ａへ渡す。
【００３０】
記憶要求部１６ｄは、携帯機器２の識別情報、並びに動作状態設定部１６ａによって設定されたラジオ放送受信部１１およびデータ再生部１２等の動作状態情報を記憶するよう、通信部１５のネットワーク通信部１５ｂを介してサーバ装置３へ要求する。記憶要求部１６ｄは、例えばオーディオ機器１が電源オフ状態となる直前にサーバ装置３へ識別情報および動作状態情報の記憶を要求するほか、ユーザからの操作入力に基づいて記憶要求するものであってもよい。尚、オーディオ機器１が電源オフ状態となる直前にサーバ装置３へ識別情報および動作状態情報の記憶を要求する場合、オーディオ機器１の電源オフシーケンスにおいて、記憶要求部１６ｄは、ネットワーク通信部１５ｂからサーバ装置３への記憶要求処理を行う。
【００３１】
携帯機器２は、識別情報記憶部２１および無線通信部２２等を有する。携帯機器２は、例えば携帯電話機である場合には、音声通信機能、データ通信機能、画面表示機能、および操作入力機能等を備える構成となる。識別情報記憶部２１は、携帯機器２に固有の識別情報を記憶している。識別情報は、例えば、Ｂｌｕｅｔｏｏｔｈによって無線通信を行う場合には、携帯機器２側で設定するユーザ名や機器固有の識別用番号である。
【００３２】
無線通信部２２は、例えばＢｌｕｅｔｏｏｔｈや赤外線通信等の通信方式に準拠して、オーディオ機器１の無線通信部１５ａとの間で無線によって通信する。無線通信部２２は、オーディオ機器１との無線通信接続の際に互いに相手を識別するために、オーディオ機器１側の識別情報を受信して取得し、識別情報記憶部２１に記憶した自己の識別情報をオーディオ機器１側へ送信する。無線通信部２２から送信された携帯機器２の識別情報は、無線通信部１５ａで受信され、識別情報取得部１６ｂによって取得される。
【００３３】
サーバ装置３は、ネットワーク通信部３１、動作状態記憶部３２および制御部３３等を有する。ネットワーク通信部３１は、無線または有線によって通信ネットワーク９１に通信接続されており、通信ネットワーク９１を介してオーディオ機器１のネットワーク通信部１５ｂとの間で通信する。動作状態記憶部３２は、携帯機器２の識別情報に対応してオーディオ機器１の動作状態情報を記憶している。
【００３４】
サーバ装置３において、制御部３３は、例えばＣＰＵなどによって構成され、コンピュータプログラムに従って動作する。制御部３３は、ネットワーク通信部３１においてオーディオ機器１の記憶要求部１６ｄからの記憶要求を受信した場合、該記憶要求に基づいて動作状態記憶部３２に識別情報およびオーディオ機器１の動作状態情報を記憶する。また、制御部３３は、ネットワーク通信部３１においてオーディオ機器１からの動作状態取得要求を受信した場合、該取得要求に基づいて動作状態記憶部３２から識別情報に対応するオーディオ機器１の動作状態情報を読み出す。制御部３３は、動作状態記憶部３２から読み出したオーディオ機器１の動作状態情報を、ネットワーク通信部３１を介してオーディオ機器１へ送信する。
【００３５】
次に機器設定システム１００の動作について、オーディオ機器１の動作状態設定処理、およびオーディオ機器１の動作状態の記憶要求処理に基づいて説明する。図４はオーディオ機器１の動作状態設定処理の手順を示すフローチャートである。オーディオ機器１は、電源がオン状態になると、周辺に存在するユーザ所有の携帯機器２との間で無線通信により接続される。制御部１６の識別情報取得部１６ｂは、携帯機器２の識別情報を取得する（Ｓ１）。識別情報取得部１６ｂは、取得した識別情報を含む動作状態取得要求をサーバ装置３へ送信する（Ｓ２）。
【００３６】
サーバ装置３の制御部３３は、オーディオ機器１からの動作状態取得要求に対して、動作状態取得要求に含まれる識別情報に対応する動作状態情報を動作状態記憶部３２から読み出し、ネットワーク通信部３１からオーディオ機器１へ送信する。図５は、サーバ装置３において記憶するオーディオ機器１の動作状態情報の例を示す図表である。動作状態記憶部３２は、携帯機器２の識別情報に対応して、設定１から設定３までを記憶している。例えばユーザＡが所有する携帯機器２の識別情報００１に対して、設定１ではラジオ放送受信（Ａ局受信）の動作状態が、設定２では音楽データ再生、ＡＡフォルダ、トラック番号３との情報が記憶されており、設定３は未設定となっている。このように、ラジオ放送受信、音楽データ再生といったソースに応じた設定のほか、例えばユーザＡに対してプライベートでの使用の際の設定、ビジネスでの使用の際の設定として、複数のソース設定をまとめて設定するようにしても良い。
【００３７】
オーディオ機器１の動作状態取得部１６ｃは、サーバ装置３が送信する動作状態情報を通信部１５で受信して取得する（Ｓ３）。動作状態取得部１６ｃは、取得した動作状態情報に基づいて、設定入力画面を表示する（Ｓ４）。図６は、オーディオ機器１における設定入力画面の例を示す模式図である。図５に示すユーザＡ所有の携帯機器２の識別情報に対応する動作状態情報が取得されると、図６に示すように表示部１３には、新規設定ボタン、設定１ボタンおよび設定２ボタンが表示される。設定３は未設定であるため、設定３ボタンは表示されないか、またはボタン画像が薄い状態で表示され、設定３ボタンへの操作入力は受け付けられない。尚、この例では、表示部１３は液晶モニタであり、操作部１４は液晶モニタに積層されたタッチパネルの場合を示している。
【００３８】
ユーザは、表示部１３の画面に表示された各ボタンに指等で触れることで操作入力する。動作状態取得部１６ｃは、ユーザの操作入力、即ちいずれのボタンが選択されたかの情報を取得する（Ｓ５）。動作状態取得部１６ｃは、ユーザによる操作入力が新規入力ボタンの選択による動作状態の新規入力か否かを判定する（Ｓ６）。
【００３９】
動作状態取得部１６ｃは、ステップＳ６において新規入力であると判定した場合（Ｓ６：ＹＥＳ）、ユーザの操作入力による動作状態を取得し（Ｓ７）、取得した動作状態を動作状態設定部１６ａに渡す。動作状態設定部１６ａは、動作状態取得部１６ｃから取得した動作状態に基づいて、オーディオ機器１の動作状態を設定し（Ｓ８）、処理を終了する。
【００４０】
動作状態取得部１６ｃは、ステップＳ６において新規入力でないと判定した場合（Ｓ６：ＮＯ）、ユーザが選択した設定１または設定２等の設定番号に対応するオーディオ機器１の動作状態を動作状態設定部１６ａに渡す。動作状態設定部１６ａは、動作状態取得部１６ｃから動作状態を取得し、ユーザが選択した設定番号に基づくオーディオ機器１の動作状態を設定し（Ｓ９）、処理を終了する。例えば、図５に示すユーザＡの設定１が選択された場合、オーディオ機器１は、ラジオ放送受信（Ａ局受信）に動作状態が設定される。
【００４１】
上述の説明では、ユーザＡ所有の携帯機器２の識別情報が識別情報取得部１６ｂによって取得された例を説明したが、ユーザＢ所有の携帯機器２の識別情報が取得された場合にも、取得された識別情報に基づいて同様の処理が実行される。
【００４２】
機器設定システム１００は、ユーザがオーディオ機器１を利用する際に、サーバ装置３に記憶された動作状態情報に基づいて、オーディオ機器１の動作状態を設定することができ、利便性を向上することができる。サーバ装置３に記憶したオーディオ機器１の動作状態情報は、ユーザが所有する携帯機器２の識別情報に対応しており、他のユーザにより動作状態が変更された場合でも、ユーザが利用する際には、該ユーザによるオーディオ機器１の動作状態に設定できる。
【００４３】
また、ユーザが所有する携帯機器２の識別情報に対応して、複数の動作状態情報を記憶することで、ユーザがオーディオ機器１を利用する際の状況に応じて設定を変えることができ、更に利便性が向上する。例えば、ユーザがビジネスで移動体９０を利用する際に嗜好するオーディオ機器１の動作状態情報と、余暇に移動体９０を利用する際に嗜好する動作状態情報とを、別の設定としてサーバ装置３に記憶させておき、設定を選択することで利便性が向上する。
【００４４】
また、ユーザが別の移動体９０を利用する際にも、該移動体９０に搭載されたオーディオ機器１を、サーバ装置３に記憶させた動作状態情報によって設定することで、複数のオーディオ機器１において動作状態を設定できるので、利便性が向上する。機器設定システム１００は、例えばレンタカーに搭載されるオーディオ機器１、およびカーナビゲーション装置等の共用機器を対象として機器設定することができ、ユーザによる共用機器の利便性を向上することができる。レンタカーに搭載されるオーディオ機器１は複数のユーザによって使用されるため、ユーザは自分の嗜好に合う動作状態とすべく、前のユーザが設定したオーディオ機器１の動作状態を変更する必要があった。機器設定システム１００によれば、サーバ装置３に記憶された動作状態情報に基づいて、レンタカーに搭載されたオーディオ機器１の動作状態を設定することができ、利便性を向上することができる。
【００４５】
図７は、オーディオ機器１の動作状態の記憶要求処理における手順を示すフローチャートである。オーディオ機器１の電源オフシーケンスにおいて、記憶要求部１６ｄは、現在のオーディオ機器１の動作状態を取得する（Ｓ１１）。記憶要求部１６ｄは、携帯機器２の識別情報、選択された設定番号または新規入力であること、並びに現在のオーディオ機器１の動作状態情報を含む登録要求をネットワーク通信部１５ｂからサーバ装置３へ送信し（Ｓ１２）、処理を終了する。
【００４６】
サーバ装置３の制御部３３は、オーディオ機器１からの記憶要求を取得し、記憶要求に含まれる識別情報に基づいて、動作状態記憶部３２に動作状態情報を記憶させる。動作状態記憶部３２は、記憶要求に設定番号が含まれている場合、該設定番号に対応する動作状態情報を記憶要求に含まれている動作状態情報によって更新する。また、動作状態記憶部３２は、記憶要求に新規入力であることが含まれている場合、動作状態情報が未設定の設定番号に対応して、記憶要求に含まれている動作状態情報を記憶する。
【００４７】
機器設定システム１００は、ユーザによるオーディオ機器１の動作設定を記憶要求に従ってサーバ装置３に記憶し、更新することができるので、ユーザの嗜好の変化に応じて設定を変えることができ、ユーザによる利便性を向上することができる。上述の例では、オーディオ機器１の電源オフシーケンスにおいて記憶要求をオーディオ機器１からサーバ装置３へ送信するが、オーディオ機器１が電源オンとなっている任意の時間に、ユーザが操作部１４を操作して記憶要求を送信できるようにしてもよい。
【００４８】
次に、実施形態１に係る機器設定システム１００、オーディオ機器１（共用機器）、機器設定方法および機器設定プログラムの特徴を説明する。
実施形態１に係る機器設定システム１００は、携帯機器２を所有するユーザからの指示（操作入力）を受け付けて動作状態が設定されるオーディオ機器１（共用機器）、およびオーディオ機器１の動作状態情報を記憶するサーバ装置３を備え、オーディオ機器１の動作状態を設定する。サーバ装置３は、携帯機器２の識別情報に対応してオーディオ機器１の動作状態情報を記憶する。オーディオ機器１は、携帯機器２の識別情報を取得し、取得した識別情報に基づいて、サーバ装置３に記憶された動作状態情報を取得して動作状態を設定する。これにより、機器設定システム１００は、ユーザが所有する携帯機器２の識別情報に対応して記憶されたオーディオ機器１の動作状態情報に基づいて、オーディオ機器１の動作状態が設定されるので、ユーザによる利便性が向上する。
【００４９】
また、オーディオ機器１は、携帯機器２の識別情報と動作状態情報とをサーバ装置３で記憶することを要求する。サーバ装置３は、オーディオ機器１の要求に基づいて、識別情報に対応して動作状態情報を記憶する。これにより、機器設定システム１００は、サーバ装置３に記憶する動作状態情報を更新することができるので、ユーザによる利便性を向上することができる。
【００５０】
また、サーバ装置３は、識別情報に対応して複数の動作状態情報を記憶する。オーディオ機器１は、複数の動作状態情報のうち１の動作状態情報に基づいて動作状態を設定する。これにより、機器設定システム１００は、ユーザがオーディオ機器１を利用する際の状況に応じて、複数の動作状態情報から選択して動作状態を設定することができ、ユーザによる利便性が更に向上する。
【００５１】
実施形態１に係るオーディオ機器１（共用機器）は、携帯機器２を所有するユーザからの指示（操作入力）を受け付けて動作状態が設定される。オーディオ機器１は、携帯機器２の識別情報を取得する識別情報取得部１６ｂを有する。オーディオ機器１は、取得した識別情報に基づいて、外部装置であるサーバ装置３に記憶された動作状態情報を取得する動作状態取得部１６ｃ、取得した動作状態情報に基づいて、動作状態を設定する動作状態設定部１６ａを有する。これにより、オーディオ機器１は、ユーザが所有する携帯機器２の識別情報に対応して記憶された動作状態情報に基づいて、動作状態が設定されるので、ユーザによる利便性が向上する。
【００５２】
また実施形態１に係る機器設定方法は、携帯機器２を所有するユーザからの指示（操作入力）を受け付けて動作状態が設定されるオーディオ機器１（共用機器）の動作状態を設定する。機器設定方法は、携帯機器２の識別情報を取得する識別情報取得ステップを有する。機器設定方法は、取得した識別情報に基づいて、外部装置であるサーバ装置３に記憶された動作状態情報を取得する動作状態取得ステップ、取得した動作状態情報に基づいて、動作状態を設定する動作状態設定ステップを有する。この機器設定方法によって、ユーザが所有する携帯機器２の識別情報に対応して記憶された動作状態情報に基づいて、オーディオ機器１の動作状態を設定するので、ユーザによる利便性を向上することができる。
【００５３】
また実施形態１に係る機器設定プログラムは、携帯機器２を所有するユーザからの指示（操作入力）を受け付けて動作状態が設定されるオーディオ機器１（共用機器）の動作状態を設定するように機能する。機器設定プログラムは、携帯機器２の識別情報を取得する識別情報取得ステップをコンピュータに実行させる。機器設定プログラムは、取得した識別情報に基づいて、外部装置であるサーバ装置３に記憶された動作状態情報を取得する動作状態取得ステップ、取得した動作状態情報に基づいて動作状態を設定する動作状態設定ステップをコンピュータに実行させる。この機器設定プログラムによって、ユーザが所有する携帯機器２の識別情報に対応して記憶された動作状態情報に基づいて、オーディオ機器１の動作状態を設定するので、ユーザによる利便性を向上することができる。
【００５４】
（実施形態２）
実施形態１に係る機器設定システム１００では、ユーザ所有の携帯機器２の識別情報に対応してオーディオ機器１の動作状態情報を記憶して、オーディオ機器１に設定するものであった。実施形態２に係る機器設定システム１００は、さらに随伴する別のユーザが所有する携帯機器２の識別情報を付加し、複数ユーザの組合せに対応するオーディオ機器１の動作状態情報を記憶し、オーディオ機器１に設定する。尚、実施形態１に係る機器設定システム１００は、実施形態１と同等な部品および回路によって構成することができ、オーディオ機器１の制御部１６およびサーバ装置３の動作状態記憶部３２の処理内容および記憶する動作状態情報等について次に説明する。
【００５５】
図８は実施形態２に係る機器設定システム１００におけるオーディオ機器１の動作状態設定処理の手順を示すフローチャートである。オーディオ機器１は、電源がオン状態になると、周辺に存在するユーザ所有の携帯機器２との間で無線通信により接続される。制御部１６の識別情報取得部１６ｂは、携帯機器２の識別情報を取得する（Ｓ２１）。識別情報取得部１６ｂは、複数の識別情報を取得した場合、例えばユーザＡおよび随伴するユーザＢが所有する各携帯機器２の識別情報を取得するような場合、取得した複数の識別情報を含む動作状態取得要求をサーバ装置３へ送信する（Ｓ２２）。
【００５６】
サーバ装置３の制御部３３は、オーディオ機器１からの動作状態取得要求に対して、動作状態取得要求に含まれる識別情報に対応する動作状態情報を動作状態記憶部３２から読み出し、ネットワーク通信部３１からオーディオ機器１へ送信する。図９は、サーバ装置３において記憶するオーディオ機器１の動作状態情報の例を示す図表である。動作状態記憶部３２は、携帯機器２の識別情報に対応する設定１から設定３までを個人設定用とし、設定４から設定６までを随伴者との組合せ設定用として記憶している。
【００５７】
例えばユーザＡが所有する携帯機器２の識別情報００１に対して、設定１から設定３までが個人設定用として動作状態情報が記憶されており、設定４には動作状態情報とともに随伴識別情報（００２、ユーザＢ）が記憶されている。動作状態取得要求を受け付けたサーバ装置３の制御部３３は、動作状態情報が記憶されている個人設定用の設定１および２、並びに組合せ設定用の設定４を動作状態記憶部３２から読み出し、オーディオ機器１へ送信する。具体例として、ユーザが一人のときには、実施形態１に準じた処理となる。ユーザが一人で且つ動作状態情報が記憶されている設定が１つであった場合には、自動的に当該設定が反映されるようにしてもよい。また、ユーザが一人で且つ動作状態情報が記憶されている設定が複数である場合には、複数の設定のいずれを設定対象とするかを選択させる画面を表示させる。また、上述のようにユーザが複数人である状況では、設定対象となる使用者を選択させ、その後、過去の状況と同じであると判断した場合は自動的に過去における設定を反映し、判断できない場合は適宜、選択入力画面を出すようにする。
【００５８】
オーディオ機器１の動作状態取得部１６ｃは、サーバ装置３が送信する動作状態情報を通信部１５で受信して取得する（Ｓ２３）。動作状態取得部１６ｃは、取得した動作状態情報に基づいて、個人設定または組合せ設定を選択するための設定入力画面を表示し（Ｓ２４）、個人設定または組合せ設定を選択可能とする。図１０は、個人設定または組合せ設定を選択するための設定入力画面の例を示す模式図である。表示部１３の画面には個人設定ボタンと組合せ設定ボタンが表示され、ユーザは、表示部１３の画面に表示された各ボタンに指等で触れることで操作入力する。尚、上述のように個人設定は、複数の携帯機器２の識別情報のうちのいずれか一つの識別情報に対応する動作状態の設定であり、組合せ設定は、複数の識別情報の組合せに対応する動作状態の設定である。動作状態取得部１６ｃは、ユーザの操作入力、即ちいずれのボタンが選択されたかの情報を取得する（Ｓ２５）。
【００５９】
動作状態取得部１６ｃは、ステップＳ２５において選択された個人設定ボタンまたは組合せ設定ボタンに応じて、動作状態を設定するための設定入力画面を表示する（Ｓ２６）。動作状態取得部１６ｃは、個人設定ボタンが選択されたことを取得した場合、個人設定用の設定１および設定２（図９参照）に基づく設定入力画面（図６参照）を表示する。また、動作状態取得部１６ｃは、組合せ設定ボタンが選択されたことを取得した場合、組合せ設定用の設定４（図９参照）に基づく設定入力画面を表示する。図１１は、組合せ設定が選択された場合の設定入力画面の例を示す模式図である。図１１に示す設定入力画面では、動作状態情報がサーバ装置３に記憶されている設定４ボタンおよび新規入力ボタンに対して操作が可能である。設定５および設定６ボタンは、動作状態が未設定であるために表示されないか、またはボタン画像が薄い状態で表示され、設定５および設定６ボタンへの操作入力は受け付けられない。
【００６０】
動作状態取得部１６ｃは、ユーザの操作入力、即ちいずれのボタンが選択されたかの情報を取得する（Ｓ２７）。動作状態取得部１６ｃは、ユーザによる操作入力が新規入力ボタンの選択による動作状態の新規入力か否かを判定する（Ｓ２８）。
【００６１】
動作状態取得部１６ｃは、ステップＳ２８において新規入力であると判定した場合（Ｓ２８：ＹＥＳ）、ユーザの操作入力による動作状態を取得し（Ｓ２９）、取得した動作状態を動作状態設定部１６ａに渡す。動作状態設定部１６ａは、動作状態取得部１６ｃから取得した動作状態に基づいて、オーディオ機器１の動作状態を設定し（Ｓ３０）、処理を終了する。
【００６２】
動作状態取得部１６ｃは、ステップＳ２８において新規入力でないと判定した場合（Ｓ２８：ＮＯ）、ユーザが選択した設定１、設定２、設定４等の設定番号に対応するオーディオ機器１の動作状態を動作状態設定部１６ａに渡す。動作状態設定部１６ａは、動作状態取得部１６ｃから動作状態を取得し、ユーザが選択した設定番号に基づくオーディオ機器１の動作状態を設定し（Ｓ３１）、処理を終了する。例えば、図９に示すユーザＡの設定４が選択された場合、オーディオ機器１は、音楽データ再生（ＡＢフォルダのトラック番号８）に動作状態が設定される。尚、記憶要求処理については、個人設定および組合せ設定の場合ともに、実施形態１で説明した手順と同様の手順によって実行することができ、記載の簡潔のため説明を省略する。
【００６３】
機器設定システム１００は、ユーザがオーディオ機器１を利用する際に、別のユーザが随伴する場合の動作状態情報をサーバ装置３から取得し、オーディオ機器１の動作状態を設定できるので、利便性を更に向上することができる。
【００６４】
上述の実施形態２では、例えばユーザＡおよびＢが所有する識別情報がオーディオ機器１で取得されるが、識別情報を取得する無線通信における無線波の強度が高く、オーディオ機器１により近いユーザの個人設定および組合せ設定を優先することができる。また、予めサーバ装置３の動作状態記憶部３２において記憶する識別情報に対して優先順位を記憶させておいてもよい。
【００６５】
また、ユーザＡおよびＢが所有する携帯機器２の識別情報に優先順位を設けず、サーバ装置３からユーザＡおよびＢに関わる全ての動作状態情報を取得するようにしてもよい。この場合、図８に示すステップＳ２４の前に、ユーザＡまたはＢのいずれの動作状態情報を利用するかを選択するための設定入力画面を表示部１３に表示し、ユーザからの操作入力を取得した後、ステップＳ２４に移行するとよい。
【００６６】
次に、実施形態２に係る機器設定システム１００の特徴を説明する。
実施形態２に係る機器設定システム１００において、サーバ装置３は、複数の携帯機器２の識別情報の組合せに対応してオーディオ機器１（共用機器）の動作状態情報を記憶する。オーディオ機器１は、複数の携帯機器２の識別情報を取得し、取得した複数の識別情報の組合せに基づいて、サーバ装置３に記憶された動作状態情報を取得して動作状態を設定する。これにより、機器設定システム１００は、ユーザがオーディオ機器１を利用する際に、別のユーザが随伴するような場合の動作状態情報をサーバ装置３から取得し、オーディオ機器１の動作状態を設定できるので、利便性を更に向上することができる。
【００６７】
また、オーディオ機器１は、複数の携帯機器２の識別情報の組合せと動作状態情報とをサーバ装置３で記憶することを要求する。サーバ装置３は、オーディオ機器１の要求に基づいて、複数の識別情報の組合せに対応して動作状態情報を記憶する。これにより、機器設定システム１００は、サーバ装置３に記憶する動作状態情報を更新することができるので、ユーザによる利便性を向上することができる。
【００６８】
また、オーディオ機器１は、複数の携帯機器２の識別情報の組合せに対応する動作状態情報、または複数の携帯機器２の識別情報のうちのいずれか一つの識別情報に対応する動作状態情報に基づいて、動作状態の設定を選択可能としてある。これにより、機器設定システム１００は、一つの識別情報に対応する動作状態情報に基づく個人設定、または複数の識別情報に基づく組合せ設定を選択することができ、さらにユーザによる利便性を向上することができる。
【００６９】
上述の実施形態１および実施形態２において、ユーザが所有する携帯機器２は、無線通信部２２を有する構成としたが、この構成に限られるものではない。携帯機器２は、識別情報が記憶してオーディオ機器１へ識別情報を出力する、ＩＣカードや、ＳＤカードおよびＵＳＢメモリ等の記憶媒体であってもよい。この場合、オーディオ機器１は、無線通信部１５ａに代えて、記憶媒体に対応する入出力インタフェース部を設けるとよい。また、オーディオ機器１の動作状態を、ラジオ放送受信、音楽データ再生および映像データ再生等に分類し、更に動作内容として、例えばラジオ放送受信では放送局（受信周波数）等を含む例を説明したが、更に詳細な動作内容を含んでいても良い。例えば、ＤＶＤ等の記憶媒体１９から再生して視聴していた映画などの映像データの続きから再生をするために、前回視聴を止めたときの再生位置を、動作状態に含まれる動作内容とする。また、ユーザの嗜好に合わせたオーディオの周波数特性の設定値、表示部１３の画面輝度の設定等を動作状態に含まれる動作内容とすることができる。
【００７０】
またオーディオ機器１は、ネットワーク通信部１５ｂを通じて通信ネットワーク９１にアクセスし、サーバ装置３との間で情報を送受信する構成としたが、携帯機器２や他の移動体搭載機器等の通信機能を用いて、通信ネットワーク９１にアクセスし、サーバ装置３との間で情報を送受信するようにしてもよい。
【００７１】
また、カーナビゲーション装置を共用機器とし、その動作状態を機器設定システム１００によって設定する場合、カーナビゲーション装置における地図の表示状態、自宅位置表示の有無、音声ガイドの有無等の動作状態を、機器設定システム１００で設定できる。カーナビゲーション装置における地図の表示状態は、地図の北方向を常に表示部１３の上辺側にして表示する設定、または移動体９０の進行方向を常に表示部１３の上辺側にして表示する設定、並びに地図の表示縮尺の設定等がある。このようなカーナビゲーション装置における地図の表示状態を動作状態情報として、サーバ装置３に記憶させておき、サーバ装置３に記憶された動作状態情報に基づいて、カーナビゲーション装置の動作状態を設定することができる。また、カーナビゲーション装置における自宅位置表示の有無、音声ガイドの有無等も動作状態情報として、サーバ装置３に記憶させておき、サーバ装置３に記憶された動作状態情報に基づいて、カーナビゲーション装置の動作状態を設定することができる。また、共用機器の設定を対象として説明したが、共用機器に接続される周辺機器が特定できる場合は、合わせて周辺機器の設定を行うように構成してもよい。また、共用機器のバージョン等により対象となる設定が行えない場合、その旨を警告する画面を表示したり、予め定めたデフォルトの設定値に設定するようにしてもよい。
【００７２】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００７３】
１  オーディオ機器（共用機器）、  ２  携帯機器、  ３  サーバ装置、
１６ａ  動作状態設定部、  １６ｂ  識別情報取得部、  １６ｃ  動作状態取得部、
１６ｄ  記憶要求部、  １００  機器設定システム。
【図１】
2019012964.tif 000003
【図２】
2019012964.tif 000004
【図３】
2019012964.tif 000005
【図４】
2019012964.tif 000006
【図５】
2019012964.tif 000007
【図６】
2019012964.tif 000008
【図７】
2019012964.tif 000009
【図８】
2019012964.tif 000010
【図９】
2019012964.tif 000011
【図１０】
2019012964.tif 000012
【図１１】
2019012964.tif 000013